(57)【要約】【課題】  従来のソファよりも室内に置いたときの目線の圧迫感を感じにくく、使用者がゆったりとくつろぐことができるソファを提供する。【解決手段】  本発明のソファは、本体と座と背凭れを備えたソファであって、本体に座配置部よりも一段低い背凭れ配置部を設けて、少なくとも背凭れが最も低い位置にあるときには、その背凭れの下端側が背凭れ配置部に収まるようにし、少なくとも背凭れが最も高い位置にあるときには、その背凭れが背凭れ配置部から抜け出すようにしたものである。背凭れは、使用時には使用者の頭部を支持できる高さまで上昇させられるようにすることもできる。背凭れの昇降動作と連動して座を前後方向にスライドさせられるようにして、昇降中の背凭れと座とが接触しないようにすることもできる。【選択図】図１
2017209437.tif 000002
【特許請求の範囲】
【請求項１】
本体と座と背凭れを備えたソファにおいて、
前記本体は、座を配置可能な座配置部と、背凭れを配置可能な背凭れ配置部を備え、
前記背凭れ配置部は座の後方に座配置部よりも低く設けられ、
前記座は前記座配置部に、前記背凭れは前記背凭れ配置部に配置され、
前記背凭れは、少なくとも背凭れが最も低い位置にあるときは当該背凭れの下端側が背凭れ配置部内に収まり、少なくとも背凭れが最も高い位置にあるときは当該背凭れが前記背凭れ配置部から抜け出して、背凭れの後部底面が座の上面に乗り上げ、
前記座と背凭れは昇降機構で連結され、
前記昇降機構にアクチュエータが連結され、
前記背凭れは前記アクチュエータで昇降機構を動作させることによって昇降可能であり、
前記座は前記背凭れの昇降動作に連動して前後方向にスライド可能である、
ことを特徴とするソファ。
【請求項２】
請求項１記載のソファにおいて、
背凭れは上端側が後方に倒れ下端側が前方に突出するように後傾する、
ことを特徴とするソファ。
【請求項３】
請求項１又は請求項２記載のソファにおいて、
背凭れは座に着座した使用者の頭部を支持できる高さまで昇降可能である、
ことを特徴とするソファ。
【請求項４】
請求項１から請求項３のいずれか１項に記載のソファにおいて、
座は昇降中の背凭れの後部が接触しないように前後方向にスライド可能である、
ことを特徴とするソファ。
【発明の詳細な説明】
【技術分野】
【０００１】
本発明はソファに関し、特に背凭れが昇降式であり、リクライニング式でもあり、座が背凭れの昇降に伴って前後移動可能なソファに関する。
【背景技術】
【０００２】
ソファには各種形式、デザインのもがある。室内に設置したときの目線の圧迫感をなくすため、背の高さを低めに設計したソファが知られている。背凭れの高さを低めに設計することで所期の目的を達成することはできるが、背凭れが低いとソファに座っても頭部が支持されず、ゆったりとくつろぐことができない。
【０００３】
本件出願人は、背凭れに頭部を支持する傾倒式の枕等を設けて、その枕を手動又は電動で動かして頭部を支持できるソファ（特許文献１）を提案した。特許文献１記載のソファは、背丈の高い面と低い面を備えた背凭れを回動することによって、背凭れの高さを調整できるようにしたものである。
【０００４】
上記ソファのほかにも、使用者がゆったりとくつろげるように、背凭れが後傾するリクライニング式のソファ（特許文献２）が提案されている。
【先行技術文献】
【特許文献】
【０００５】
【特許文献１】特開２００７−０４４１４７号公報
【特許文献２】特開２００２−０１７５１４号公報
【発明の概要】
【発明が解決しようとする課題】
【０００６】
本発明は、従来のソファよりも室内に置いたときの目線の圧迫感を感じにくく、くつろぎ易いソファを提供することにある。
【課題を解決するための手段】
【０００７】
本発明のソファは、本体と座と背凭れを備えたソファであって、背凭れが昇降及びリクライニング（背凭れの上部が後方に傾斜）可能であり、座の後方下部に背凭れの下部が収まる背凭れ配置部を備え、背凭れが最も低い位置（本願において「最低位置」という）まで降下すると、その背凭れの下部が前記背凭れ配置部に収まるようにしたものである。背凭れ上昇時には背凭れの下部が背凭れ配置部から上昇して背凭れの下部が座の後方部上面に支持されるようにしたものである。背凭れの昇降には昇降機構が使用される。座が背凭れの昇降動作と連動して前後方向にスライドして、座と昇降中の背凭れが接触しないようにすることもできる。
【発明の効果】
【０００８】
本発明のソファは、不使用時には背凭れを下降させて座配置部よりも一段低い位置に設けられた背凭れ配置部に収まるので、室内に置いたときの目線の圧迫感を軽減することができる。使用時には使用者の頭部を支持できる高さまで背凭れを上昇させることができるので、使用者がゆったりとくつろぐことができる。また、背凭れがリクライニングするためくつろぎ易くなる。更に、背凭れの昇降動作に連動して座が前後方向にスライドするようにしてあるため、昇降時に座の後方部と背凭れの下部座に負担がかかりにくく、座と背凭れ下部の変形や破損等が生じにくい。
【図面の簡単な説明】
【０００９】
【図１】（ａ）（ｂ）は本発明のソファの一例を示す斜視図。
【図２】本発明のソファの内部構造の説明図。
【図３】本発明のソファにおける昇降機構の説明図。
【図４】（ａ）〜（ｃ）は本発明のソファの動作説明図。
【発明を実施するための形態】
【００１０】
（実施形態）
本発明のソファの一例を、図面を参照して説明する。ここでは、一人掛けのソファを一例として説明するが、本発明のソファは二人掛け以上のソファであってもよい。なお、説明の都合上、図面上は袖（肘掛け）を省略しているが、一般的なソファと同様、本発明のソファにも座の両側方に袖が取り付けられている。
【００１１】
一例として図１（ａ）（ｂ）に示すソファは、座配置部１０ａと背凭れ配置部１０ｂを備えた本体１０と、本体１０の座配置部１０ａの上面側に配置された座２０と背凭れ３０を備えている。背凭れ３０はその下部が背凭れ配置部１０ｂに収容できるように配置されている。本体１０、座２０及び背凭れ３０は、電動アクチュエータ４０（図３）で動作する昇降機構５０（図３）で連結され、当該電動アクチュエータ４０のモータＭを動作させることによって昇降機構５０が駆動し、背凭れ３０が昇降及びリクライニングし、その動作と連動して座２０が前後にスライドするように構成されている。
【００１２】
［本体］
図２に示すように、前記本体１０は、底板１１、前板１２、両側板１３、背板１４を備え、それらの内側に電動アクチュエータ４０及び昇降機構５０の一部が配置できるようにしてある。底板１１は平面視正方形状であり、前板１２は正面視横長の長方形状であり、両側板１３は横部１３ａと縦部１３ｂを備えたＬ字形状であり、背板１４は背面視略正方形状である。
【００１３】
両側板１３の横部１３ａの前方上部の内面には、内向きの受け材１５が突設されている。この部分を含む両側板１３の横部１３ａ及び前板１２部分が前記座配置部１０ａであり、この部分に座２０が配置されている。前記側板１３の横部１３ａの後方側の上面は、横部１３ａの他の部分よりも一段窪ませてある。この窪んだ部分が前記背凭れ配置部１０ｂであり、この部分に背凭れ３０が配置されている。背凭れ３０は最低位置にあるときには、その下端側が座配置部１０ａよりも低い位置にある空間部（背凭れ配置部）１０ｂに収まり、最も高い位置（本願において「最高位置」という）にあるときには、背凭れ３０が上昇してその下端部が座２０の上面より上方まで抜け出て座２０の後部上面に乗り上げるようにしてある。
【００１４】
両側板１３の縦部１３ｂの下方内側には取付け板１６が設けられている。取付け板１６は図示しないスペーサ（パッキン）によって若干内側へ追いこんである。背板１４の内側には背板１４の幅方向に横長の三枚の補強板１７が上下方向に間隔をあけて設けられている。下側の二枚の補強板１７の間には、二本の縦板１８が間隔をあけて設けられている。
【００１５】
前記両取付け板１６の外側には、支柱管１９ａの先端にローラー１９ｂが設けられたローラー支柱管１９が縦向きに固定されている。一例として図２に示す支柱管１９ａは、上端側が後方側に向けて若干湾曲するような形状の縦長の角パイプ材であり、その先端にローラー１９ｂが設けられている。ローラー支柱管１９のローラー１９ｂは、後述するレール３７（図２）内に嵌るようにしてある。ローラー支柱管１９とレール３７は、背凭れ３０の昇降時のガイドとして機能する。
【００１６】
［座］
前記座２０は座枠２１（図２）とその座枠２１に取り付けられた座クッション２２（図４（ａ）〜（ｃ））を備えている。一例として図２に示す座枠２１は、正面板２３、背面板２４、両側面板２５が方形状に連結されたものである。正面板２３及び背面板２４は横長の長方形状であり、両側面板２５は前後方向に縦長の長方形状である。
【００１７】
背面板２４の外面には、側面視縦長楕円形のガイドパイプ２６ａを備えたピン受け部材２６が、背面板２４の長手方向に間隔をあけて二つ設けられている。このピン受け部材２６のガイドパイプ２６ａには後述するアームピン５３ｄが差し込まれ、座２０や背凭れ３０の動作時にそのアームピン５３ｄがガイドパイプ２６ａ内を上下に移動するように構成されている。
【００１８】
両側面板２５の底面には、滑り材２７が貼付されている。滑り材２７には既存の滑りテープなどを用いることができる。一方の側面板２５には、スイッチ取付け板２８が設けられている。座枠２１には外皮内部にウレタンスポンジ等のクッション材が充填された座クッション２２が取り付けられている。座クッション２２には既存のものを用いることができる。
【００１９】
［背凭れ］
前記背凭れ３０は背枠３１とその背枠３１に取り付けられた背クッション３２（図４（ａ）〜（ｃ））を備えている。一例として図２に示す背枠３１は、間隔をあけて対向配置された側方縦板３３と、両側方縦板３３の上端に架設された上架設板３４、両側方縦板３３の下端に架設された下架設板３５、両側方縦板３３の間であって上架設板３４と下架設板３５の間に架設された中架設板３６を備えている。側方縦板３３は側面視縦長の台形状であり、上架設板３４、下架設板３５及び中架設板３６は幅方向に横長の長方形状である。上架設板３４は横向きに、下架設板３５と中架設板３６は縦向きにして配置してある。下架設板３５は側方縦板３３の前方寄りの位置に、中架設板３６は側方縦板３３の後方よりの位置に配置されている。背枠３１には外皮内部にウレタンスポンジ等のクッション材が充填された背クッション３２が取り付けられている。背クッション３２には既存のものを用いることができる。
【００２０】
前記両側方縦板３３の内側には、前記ローラー支柱管１９のローラー１９ｂが嵌合可能なレール３７が取り付けられている。それぞれのレール３７はコの字状であり、ローラー１９ａの嵌合側が内向きになるように取り付けられている。
【００２１】
［電動アクチュエータ］
前記電動アクチュエータ４０（図４）は、昇降機構５０（図４）を駆動させるための駆動機である。一例として図３に示す電動アクチュエータは、モータＭと当該モータＭの動力で伸縮するロッド４１を備えたものである。電動アクチュエータ４０には、例えば、Ｌｉｍｏｓｓ社の「商品名：電動アクチュエータ（型番：ＭＤ１４１−２７−Ｌ１−０９０）」などを用いることができる。
【００２２】
前記電動アクチュエータ４０には電源コード４２及びスイッチＳＷが接続されている。スイッチＳＷには上昇ボタンＢ１と下降ボタンＢ２が設けられ、上昇ボタンＢ１を押すと背凭れ３０が上昇し、下降ボタンＢ２を押すと背凭れ３０が下降するようにしてある。上昇ボタンＢ１を押して背凭れ３０が上昇する際にはこの動きに連動して座２０が前進し、下降ボタンＢ２を押して背凭れ３０が下降する際にはこの動きに連動して座２０が後退するようにしてある。なお、この実施形態では、電源に商用電源を利用する場合を一例としているが、電源はバッテリ式とすることもできる。
【００２３】
［昇降機構］
一例として図３、図４に示す昇降機構５０は、アクチュエータ取付け桁管５１と、主アーム取付け管５２と、主アーム５３と、背駆動リンク５４と、案内リンク５５を備えたものであり、ワッツリンクと呼ばれる既存のリンク機構を応用した機構である。
【００２４】
前記アクチュエータ取付け桁管５１（図３）は、横部材５１ａの長手方向両端にブラケット５１ｂを備えている。それぞれのブラケット５１ｂは平板状であり、横部材５１ａに対して垂直又は略垂直となる向きで取り付けられている。横部材５１ａには、前記電動アクチュエータ４０を保持する二枚一組の保持ブラケット５１ｃが設けられている。二枚の保持ブラケット５１ｃの間には、電動アクチュエータ４０の前端側が配置され、ネジ５１ｄによって保持ブラケット５１ｃに連結されている。アクチュエータ取付け桁管５１は、前記本体１０（図２）の両側板１３の間に配置され、両ブラケット５１ｂを本体１０の両側板１３にネジ止めすることによって本体１０に固定されている。アクチュエータ取付け桁管５１はソファのサイズに応じた長さのものを用いることができる。
【００２５】
前記主アーム取付け管５２（図３）は、前記アクチュエータ取付け桁管５１と同様、横部材５２ａの長手方向両端にブラケット５２ｂを備えている。それぞれのブラケット５２ｂは平板状であり、横部材５２ａに対して垂直又は略垂直となる向きで取り付けられている。横部材５２ａには、前記主アーム５３を保持する二枚一組のアーム保持片５２ｃが間隔をあけて二組設けられている。二組のアーム保持片５２ｃは横部材５２ａの中心から等距離離れた位置に設けられている。二組のアーム保持片５２ｃのうち、一方のアーム保持片５２ｃの間には前記主アーム５３の一方の側部材５３ａの上端側が、他方のアーム保持片５２ｃの間には前記主アーム５３の他方の側部材５３ａの上端側がそれぞれ配置され、ネジ５３ｆによって固定されている。主アーム取付け管５２は前記本体１０の両側板１３の（図２）間に配置され、両ブラケット５２ｂを本体１０の両側板１３にネジ止めすることによって本体１０に固定されている。主アーム取付け管５２はソファのサイズに応じた長さのものを用いることができる。
【００２６】
前記主アーム５３（図３）は、側面視Ｌ字状の側部材５３ａと、両側部材５３ａの間に架設された連結部材５３ｂと、当該連結部材５３ｂの中央部に設けられた二枚一組の保持片５３ｃを備えている。側部材５３ａの後端側は前記背駆動リンク５４の下側の挟持片（下挟持片）５４ｃの間に配置され、ネジ５４ｅによって当該下挟持片５４ｃに固定されている。両側部材５３ａの上端側には、アームピン５３ｄが内向きに突設されている。図２に示すように、このアームピン５３ｄは、前記座枠２１に取り付けられたピン受け部材２６のガイドパイプ２６ａに差し込まれて座枠２１に連結されている。二枚の保持片５３ｃの間には、前記電動アクチュエータ４０のロッド４１の先端が配置され、ネジ５３ｅによって連結されている。
【００２７】
前記背駆動リンク５４（図３）は、横長の横長材５４ａと、当該横長材５４ａの長手方向両端寄りの位置に縦向きに設けられた連結材５４ｂを備えている。それぞれの連結材５４ｂは上下に二枚一組の挟持片５４ｃを備えている。両連結材５４ｂの上側の挟持片（上挟持片）５４ｃの間には、前記案内リンク５５のリンクアーム５５ｂの先端側が配置され、ネジ５４ｄによって固定されている。前述のとおり、下挟持片５４ｃの間には、前記主アーム５３の側部材５３ａが配置され、ネジ５４ｅによって固定されている。横長材５４ａの両端には背枠３１を取り付けるためのブラケット５４ｆが軸ボルト５４ｇで取り付けられている。このブラケット５４ｆが背枠３１（図２）の下架設板３５に固定されることによって、背駆動リンク５４と背凭れ３０とが連結されている。
【００２８】
前記案内リンク５５は、細長の横管５５ａと当該横管５５ａの長手方向両端寄りの位置に前向きに設けられたリンクアーム５５ｂを備えている。それぞれのリンクアーム５５ｂの先端にはネジなどの固定具を差し込み可能な差込み孔５５ｃ（図２）が形成されている。横管５５ａの長手方向両端部であって、リンクアーム５５ｂよりも外側には差込み軸５５ｄが突設されている。図２に示すように、案内リンク５５は本体１０の両側板１３（図２）の間に配置され、案内リンク５５の差込み軸５５ｄが本体１０の縦板１８（図２）に形成された嵌合孔１８ａに差し込まれて、本体１０に取り付けられている。
【００２９】
（上昇動作）
本発明のソファの上昇動作について、図４（ａ）〜（ｃ）を参照して説明する。本発明のソファは、背凭れ３０が図４（ａ）の最低位置にある状態から電動アクチュエータ４０用のスイッチＳＷの上昇ボタンＢ１を押すと、背凭れ３０が次第に上昇し、図４（ｂ）の中間位置を経て、図４（ｃ）の最高位置まで上昇する。このとき、背凭れ３０はその先端（下端）部が座２０の後端部をなぞるように上昇し、最終的には座２０の後部上面の上に乗りあげる。本発明のソファは、背凭れ３０の上昇に連動して座２０が前方へスライドするようにして、背凭れ３０の上昇に際して背凭れ３０が座２０の後部に当たらないようにしてある。また、背凭れ３０は上昇に伴って上部が１５〜２０度程度後傾する（リクライニングする）ようにしてある。背凭れ３０はスイッチＳＷの上昇ボタンＢ１を押し続けている間上昇を続け、上昇ボタンＢ１を離すとその位置で停止する。
【００３０】
前記上昇動作をする際は、昇降機構５０が次のように動く。なお、図４（ａ）〜（ｃ）において、主アーム５３はネジ５３ｆでの支持部を支点として図４（ａ）のＶ１−V２矢印方向に回転し、案内リンク５５は差込み軸５５ｄでの支持部を支点として図４（ａ）のＷ１−Ｗ２矢印方向に回転し、主アーム５３と案内リンク５５の双方に連結された背駆動リンク５４は主アーム５３と案内リンク５５の動きに追随して駆動する。
（１）背凭れ３０が最低位置にある状態（図４（ａ））でスイッチＳＷの上昇ボタンＢ１を押すと、電動アクチュエータ４０のロッド４１が伸長して主アーム５３が上回転方向（Ｖ１矢印方向）に回転し、その後端側が押し上げられる（図４（ｂ））。
（２）主アーム５３の後端側が押し上げられると、主アーム５３の後端側に連結された背駆動リンク５４が斜め後方の上方に押し上げられ、背駆動リンク５４のブラケット５４ｆに取り付けられた背凭れ３０が上昇する（図４（ｂ））。
（３）背駆動リンク５４が斜め後方の上方に押し上げられると、案内リンク５５が上回転方向（Ｗ１矢印方向）に回転し、その先端側が押し上げられる。案内リンク５５は、最大限回転したところ（図４（ｂ）の位置）で停止する。案内リンク５５が最大限まで回転したとき、背凭れ３０は最高位置に到達する。
（４）案内リンク５５が最大限回転した状態で、そのまま上昇ボタンＢ１を押し続けるとロッド４１がさらに伸長し、主アーム５３が上回転方向（Ｖ１矢印方向）に回転して、その後端側が立ち上がる（図４（ｃ））。
（５）主アーム５３がその上回転方向（Ｖ１矢印方向）に回転して立ち上がると、この主アーム５３に連結された背駆動リンク５４の先端側が上方に引き上げられ、この背駆動リンク５４に固定された背凭れ３０が１５〜２０度程度リクライニングする（図４（ｃ））。このとき、主アーム５３に設けられたアームピン５３ｄがピン受け部材２６のガイドパイプ２６ａ内で下側に移動することによって座２０が前方へスライドし、背凭れ３０が座２０に干渉することなくリクライニングする。リクライニングした背凭れ３０は、その下端側が前方へ移動した座２０の後部上面の上に乗り上げ、背凭れ３０のリクライニングを含む上昇動作が完了する（図４（ｃ））。
【００３１】
（下降動作）
次に、本発明のソファの下降動作について、図４（ａ）〜（ｃ）を参照して説明する。背凭れ３０が図４（ｃ）の最高位置にある状態から電動アクチュエータ４０用のスイッチＳＷの下降ボタンＢ２を押すと、背凭れ３０が次第に下降し、図４（ｂ）の中間位置を経て、図４（ａ）の最低位置まで下降して、背凭れ配置部１０ｂ内に収容される。このとき、座２０の後部上面に乗り上げた背凭れ３０は当該座２０の後端部に沿って下降する。後傾状態の背凭れ３０は下降動作に連動して上部が前傾し、最終的には元の位置及び元の角度に復帰する。また、背凭れ３０の下降に連動して座２０も後方にスライドして元の位置に復帰する。背凭れ３０はスイッチＳＷの下降ボタンＢ２を押し続けている間下降を続け、下降ボタンＢ２を離すとその位置で停止する。
【００３２】
前記下降動作をする際は、昇降機構５０が次のように動く。
（１）背凭れ３０が最高位置にある状態（図４（ｃ））でスイッチＳＷの下降ボタンＢ２を押すと、電動アクチュエータ４０のロッド４１が収縮し、立ち上がり状態にある主アーム５３がその下回転方向（Ｖ２矢印方向）に回転し、その後端側が引き下げられる（図４（ｂ））。
（２）主アーム５３の後端側が引き下げられると、主アーム５３に連結された背駆動リンク５４が前下がり方向に引き下げられ、背駆動リンク５４に取り付けられた背凭れ３０がリクライニング状態から非リクライニング状態へ元の状態へ復帰する（図４（ｂ））。
（３）背凭れ３０が元の状態へ復帰したのち、そのままスイッチＳＷの下降ボタンＢ２を押し続けると、主アーム５３に設けられたアームピン５３ｄがピン受け部材２６のガイドパイプ２６ａ内で上側に移動して座２０が後方へスライドし、元の位置に復帰する。
（４）座２０が元の位置に復帰したのち、そのまま下降ボタンＢ２を押し続けてロッド４１を収縮させると、主アーム５３がその下回転方向（Ｖ２矢印方向）に回転してその主アーム５３に連結された背駆動リンク５４の先端側が下方に引き下げられ、背駆動リンク５４のブラケット５４ｆに取り付けられた背凭れ３０が下降して、その下端側が背凭れ配置部１０ｂ内に収まり下降動作が完了する（図４（ａ））。
【産業上の利用可能性】
【００３３】
本発明のソファは、一人掛けのソファに限らず、二人掛け以上のソファにも適用することができる。この場合、背凭れ３０が個別に昇降するようにすることも、すべてが連動して昇降するようにすることもできる。
【符号の説明】
【００３４】
１０      本体
１０ａ    座配置部
１０ｂ    背凭れ配置部
１１      底板
１２      前板
１３      側板
１３ａ    横部
１３ｂ    縦部
１４      背板
１５      受け材
１６      取付け板
１７      補強板
１８      縦板
１８ａ    嵌合孔
１９      ローラー支柱管
１９ａ    支柱管
１９ｂ    ローラー
２０      座
２１      座枠
２２      座クッション
２３      正面板
２４      背面板
２５      側面板
２６      ピン受け部材
２６ａ    ガイドパイプ
２７      滑り材
２８      スイッチ取付け板
３０      背凭れ
３１      背枠
３２      背クッション
３３      側方縦板
３４      上架設板
３５      下架設板
３６      中架設板
３７      レール
４０      電動アクチュエータ
４１      ロッド
４２      電源コード
５０      昇降機構
５１      アクチュエータ取付け桁管
５１ａ    横部材
５１ｂ    ブラケット
５１ｃ    保持ブラケット
５１ｄ    ネジ
５２      主アーム取付け管
５２ａ    横部材
５２ｂ    ブラケット
５２ｃ    アーム保持片
５３      主アーム
５３ａ    側部材
５３ｂ    連結部材
５３ｃ    保持片
５３ｄ    アームピン
５３ｅ    ネジ
５３ｆ    ネジ
５４      背駆動リンク
５４ａ    横長材
５４ｂ    連結材
５４ｃ    挟持片
５４ｄ    ネジ
５４ｅ    ネジ
５４ｆ    ブラケット
５４ｇ    軸ボルト
５５      案内リンク
５５ａ    横管
５５ｂ    リンクアーム
５５ｃ    差込み孔
５５ｄ    差込み軸
Ｂ１      上昇ボタン
Ｂ２      下降ボタン
Ｍ        モータ
ＳＷ      スイッチ
【図１】
2017209437.tif 000003
【図２】
2017209437.tif 000004
【図３】
2017209437.tif 000005
【図４】
2017209437.tif 000006